(57)【特許請求の範囲】
【請求項１】
上面に標識を有する標識板を計測目盛尺の下端部に当該計測目盛尺に対して垂直になるように装着し、かつ、当該計測目盛尺に当該標識板の上面を０起点として上方に向けて計測目盛を印した透視度計において、標識板を当該計測目盛尺の下端部に磁石または固定バネを持つ係止部材を介して着脱自在な装着としたことを特徴とする透視度計測治具。
【請求項２】
請求項１に記載する透視度計測治具において、当該計測目盛尺の少なくとも計測目盛を印した面に所定の間隔にて異なる彩色をなしたことを特徴とする透視度計測治具。
【請求項３】
底部を有する筒状の容器に、請求項１又は請求項２に記載する透視度計測治具を挿入したことを特徴とする透視度計。
【発明の詳細な説明】
【技術分野】
【０００１】  本発明は、海、湖、川などの水、またはその他の液体に対する簡便な繰り返し計測を可能とする透視度治具及びそれを用いた透視度計に関する。
【背景技術】
【０００２】    従来から使用されている透視度計は、図９に示すように、深さが数十センチメートル程度の透明な下口付長円筒容器１２の底に、上面に直行する二重線を印した白色の標識板１８を沈めた構成となっている。また、その使用に際しては、底部近くに設けた水出し口１５のゴム管１６に装着されたピンチコック１７をゆるめながら少しずつ排水し、下口付長円筒容器１２内の水面上方より観察して、前記標識板１８上に印してある二重線が鮮明に見えるようになったら排水をストップし、その時の水深をもって透視度としていた。例えば、非特許文献１参照。しかし、この場合、当該標識板１８に印した標識が「見える、見えない」の境界は非常に微妙であり、当該透視度計に精通した専門家では１回で済むが、一般の方では１回の測定では確定できにくく、繰り返しの動作による確認が必要となる。【０００３】    しかるに、従来の透視度計では、下方の水出し口１５から排水によって水位調整していたため、出しすぎると再び水を入れ、適切な水位を微妙な調整によって見出していかなければならなかった。このため、時間と労力も要し、十分な補足水量の無い場合など、排水し過ぎると測定出来なくなることもあった。
また、環境学習のような多人数で測定を繰り返す場合、個々人の見え方が異なることから、その都度、下口付長円筒容器１２への補水あるいは排水を繰り返さなければならない等の煩わしさがあった。【０００４】    さらに、非特許文献１においては、計測目盛が下口付長円筒容器１２の外側面に印されており、かつ、排水と測定を一人で行うことから、白色の標識板１８の二重線の確認後、目を移動させ、下口付長円筒容器１２に対して水平な位置から下口付長円筒容器１２に記されている目盛を測定のたびに読まなければならないという煩わしさがあった。【０００５】    加えて、従来の透視度計では、排水と測定を一人で行う必要上から、下口付長円筒容器１２の上方から覗いた状態でピンチコック１７を操作できる距離とする必要がある。そのため、透視度計の長さも５０ｃｍ程度が限界であり、したがって透視度５０ｃｍ以上の測定は出来なかった。【０００６】    また、透視度確認後の下口付長円筒容器１２に残留している検水の排除に際して、検水注ぎ口１５から排水することが多く、下口付長円筒容器１２の底部にあった標識板１８が排水と共に排出され、回収不能となることがしばしば生じていた。【０００７】    前述の透視度計の欠点を解消するためのものとして、長円筒容器への給排水の改善を試みた透視度計が提案されている。特許文献１参照。しかしながら、当該透視度計においては、計測目盛は長円筒容器外側の上方の小孔を０起点として下方に等間隔に印されており、測定は水面を０起点と一致させてから始めなければならない。そのため、測定のたびに余分な液体を水位小孔より排除されるのを待たなければならないこと、水位小孔から零れ出た検水を受ける道具が必要となること、また、標識板を糸で吊るしているため、標識板を上下移動させるたびに水につかる糸の体積が変動し、水面高さが計測目盛の０起点からずれてしまい、そのために、水面の目盛と標識板の上面の目盛との差を透視度の値としなければならないこと、さらに、透視度板が長円筒に常に触れながらの上下移動となるために標識板の水平が保ちにくいこと、標識板の二重線の確認後、目を移動させ、水平な位置から目盛を読まなければならない等の欠点を有していた。このようなことから、環境学習のための児童生徒や一般人などの初心者には扱いづらいと言う問題を残している。【０００８】    また、特許文献２のように、従来の透視度計の長円筒の長さの限界を改善した透視度計においても、より複雑で重量感を伴う構造となっている。そのため、当該透視度計の移動性及び携帯性に不便さを抱えることとなったこと、本体上部に設置されたドレンから零れ出た検水を受ける道具が必要となる等の新たな課題が生じた。また、当該透視度計において、標識板と目盛ゲージとは連結材を通して連結されているものの、当該目盛ゲージはガイドレールで覆われた構造となっているなど、標識板と目盛ゲージとが間接的に連動されているために、連結材や標識板の厚み、及び位置が変化した場合の０起点の位置の調整対応が困難である。さらに、標識板を上下移動させるたびにゲージの水につかる体積が変化し、当初の０起点とする基準水位が維持できず、そのための計測値の補正が必要となること等の課題を残すことと���った。そのため、環境学習のための児童生徒や一般人などの初心者に取っては扱いづらいものとなっている。【０００９】    さらに、特許文献３のように、目盛を印してある長円筒容器の上端に、あるいは、目盛体上端に定滑車を取り付けた透視度計においても、標識板の端に取り付けた紐による上下移動は紐のヨジレや標識板の水平状態維持の困難さを残している。さらに、透視度の計測においても、水面の目盛と標識板の上面の目盛との差を求めなければならない等の煩わしさの改善にまでは至っていない。これらのことから、児童生徒や一般の初心者にとって測定が極めて面倒で、野外で簡便に使える器具としては適切なものではない。
【先行技術文献】
【特許文献】
【００１０】
【特許文献１】  特開平９−３１８５３０号  広報
【特許文献２】  特開２００９−２２２７１９号  広報
【特許文献３】  実開平０１−１８０６４２号  広報
【非特許文献】
【００１１】
【非特許文献１】  「工場排水試験法−ＪＩＳ  Ｋ０１０２：２０１３−」，日本工業標準調査会  審議、日本規格協会発行、平成２５年、ｐ．１０
【発明の概要】
【発明が解決しようとする課題】
【００１２】    以上に述べた従来の透視度計では、測定者１人による測定を想定した器具であることから、透視度計の長円筒の長さに限界があったこと、また、多人数による繰り返し測定を行うような環境学習教材としての利用には、補足水としての検水が参加人数分必要であること、排水時に長円筒上方から検水を排出されることが多く、底部にあった標識板も同時に排出・回収不能となることがしばしばであった【００１３】    さらに、解決のための提案がなされてきたが、長円筒内の基準水面を設けたことによる零れ出た検水を受ける道具が新たに必要になったこと、標識板の水平安定性とそれを吊るす紐の捩れ、測定開始時の水面高さの調整、計測目盛尺の０起点の調整、及び測定器具の移動性と携帯性等の新たな課題を作り出すこととなった。【００１４】    本発明は、このような従来の構成が有している問題を解決しようとするものであり、計測目盛尺と標識板とを着脱・一体化した治具を長円筒容器にある検水内で上下するのみで透視度の測定が容易に可能とするものである。さらに、これにより、計測時間と労力の軽減、多人数による繰り返し測定、補足水の必要性、零れ出た検水を受ける道具、透視度計の長円筒の長さの限界、標識板の回収、標識板の水平安定性とそれを吊るす紐の捩れ、測定開始時の水面高さの調整、計測目盛尺の０起点の調整、及び測定器具の移動性と携帯性などの対策を施した透視度計の実現を目的とするものである。
【問題を解決するための手段】
【００１５】  本発明は上記目的を達成するために、上面に標識を有する標識板を計測目盛尺の下端部に当該計測目盛尺に対して垂直になるように装着し、かつ、当該計測目盛尺に標識板の上面を０起点として上方に向けて計測目盛を印した透視度計測治具において、当該標識板を当該計測目盛尺の下端部に磁石または固定バネを持つ係止部材を介して着脱自在に装着したものである。
【００１６】    第２の解決手段は、前項［００１５］に記載するものにおいて、計測目盛尺の少なくとも計測目盛を印した面に所定の間隔にて異なる彩色を施したものである。
【００１８】  また、第３の解決手段は、前項［００１５］及び［００１６］に記載する透視度計測治具を、底部を有する筒状の容器に挿入したものである。
【発明の効果】
【００１９】    上述のように本発明の透視度計測治具及びそれを用いた透視度計は、容器の中に検水を任意量注ぎ込み、標識板を装着した計測目盛尺を容器に挿入することによって即座に計測状態が得られるため、計測時間と労力の軽減を可能にした。また、野外における静水状態の水面に対しても、透視度計測治具によって直接計測が可能である。
【００２０】    次に、測定開始時の水面高さの調整について、標識板の上面を０起点とする計測目盛尺の使用によって、容器内の水面高さを定めることなく、任意の水面高さで測定開始を可能にした。
【００２１】    白色の標識板の厚さの違いが生じても、その上面を計測目盛尺の０起点に合わせることが可能であり容易に確認ができること、また、計測目盛用の紐やゲージの上げ下げによる基準水面の変動による透視度の計測値補正を必要としないこと、さらに、計測目盛尺の長尺の活用によって従来の透視度計より透視度の測定範囲を広げることが出来る。
【００２２】    ［００１５］及び［００１６］における標識板と計測目盛尺との一体化及び計測目盛尺彩色による色分け表示によって、透視度計測時の視線を移動させずに、計測目盛尺の水面高さを過誤なく容易に計測を可能にした。
【００２３】    標識板と計測目盛尺とを一体化する治具によって、計測ごとに給排水することなく計測目盛尺を上方、あるいは、下方へ操作するだけで、繰り返し簡単に適切な透視度計測の水深測定が可能となった。このことは初心者や多人数による繰り返し測定を可能とした。
【００２４】    透視度確認後に標識板が排水と共に排出され、回収不能となることが従来の測定器具でしばしば生じていたが、計測時の標識板と計測目盛尺とを一体化することによって、容器から排水と共に排出されるのを防ぐことを可能とした。
【００２５】    標識板は計測目盛尺と係止部材によって直角に一体化され、なおかつ水平に設置された状態で透視度の計測がなされることから、標識板の水平安定性を容易に提供できる。
【００２６】    標識板を計測目盛尺と垂直に一体化することによって、従来の測定器具に見られる標識板を吊るす紐の捩れなどの課題を解決するもので、透視度測定時の標識板の水平安定性を保つことを可能にした。
【００２７】    さらに、本透視度計は透視度計測治具と検水を受ける容器から構成されており、別々に保管・携帯が可能で、測定器具の移動性と携帯性に優れた効果を発揮するものである。なお、透視度計測治具の標識板と計測目盛尺とは着脱可能としたことにより、携帯に一層の便利さが備わった。このことは、初心者や一般社会人の使用及び屋外での測定器具としての使い易さを高めるものである。
【図面の簡単な説明】
【００２８】
【図１】本発明の実施形態を示す透視度計測治具の正面図及び側面図。
【図２】透視度計測治具に用いられる標識板の一実施例の上面図。
【図３】透視度計測治具に用いられる標識板の一実施例の側面及び底面図／Ｌ字型係止金具による係止例。
【図４】透視度計測治具に用いられる標識板の一実施例の側面及び底面図／磁石とＬ字型係止金具による係止例。
【図５】透視度計測治具に用いられる標識板の一実施例の側面及び底面図／弾力を有する係止金具による係止例。
【図６】透視度計測治具に用いられる標識板の一実施例の側面及び底面図／バネを有する係止金具による係止例。
【図７】透視度計測治具に用いられる標識板の一実施例の側面及び底面図／０起点補正可能とする係止鋲による係止例。
【図８】本発明の実施形態を示す透視度計斜視図。
【図９】従来の透視度計の一例を示す正面図。
【図１０】従来の標識板の一例を示す上面図。
【発明を実施するための形態】
【００２９】    以下、本発明の実施の形態を図１〜図８に基づいて説明する。
【００３０】    図１に記載する透視度計測治具において、当該透視度計測治具は標識板５を計測目盛尺４の下端部に垂直になるように装着している。また、計測目盛尺４において、当該計測目盛尺４の下端部に装着した標識板１５の上面を０起点として上方に計測目盛が等間隔に印されている。なお、計測目盛尺４は円形、方形あるいは三角形の棒状の金属製、樹脂製、木製あるいは竹製等のいずれの材料であってもよい。
【００３１】    計測目盛尺４において、当該計測目盛尺は少なくとも計測目盛６を印した面に所定の間隔にて異なる彩色による色分け表示がなされている。ここで、計測目盛尺４の計測目盛及び色分け表示の一例を図１に示す。なお、計測目盛６を色分けして表示してもよいし、両方が印されてもよい。
【００３２】    さらに、計測目盛尺４において、標識板５を当該計測目盛尺の下端部に係止部材を介して着脱自在に装着する。ここで、計測目盛尺４の０起点に標識板５の上面が容易に合わせられ、係止部材によって一体化されている。計測時以外は、標識板５は計測目盛尺４から容易に取り外され、取り扱い不注意による係止部の破損を予防されている。また、厚さの異なる標識板５の計測目盛尺４への０起点合わせは係止部材の着脱を介して当該標識板５の装着時の調整によって、直接的に、かつ、容易に行われるようにしてある。ここで、係止部材は磁石、粘着テープ、又は、ネジなどの脱着・一体化が可能な材料であればよい。
なお、標識板５に表示される標識模様を図２に、係止部材による標識板５と計測目盛尺４の定着実施例を図３〜図７に示す。
【００３３】    図８において、１は容器を示すもので、容器の底部３は側部と一体化したもの、又は取り外し可能な栓であっても良い。容器１自体は円形断面に限るものではないが、少なくとも容器１の側面は透明なガラス、あるいは、樹脂材で出来たもの、又は明りが十分取り入れられるような容器であれば容器の構造に規定するものではない。すなわち、検水面に対して垂直上方より目視し、標識板５と一体化した計測目盛尺４を上方あるいは下方へ移動させ、水面に垂直標識板の表面に印された模様が明確に確認された時、その時の計測目盛尺４に印されている計測目盛６の指し示す水面の値をもって透視度の値とするための容器であればよい。
ここで、標識板に表示される標識模様は図２又はＪＩＳ  Ｋ０１０２で定められている二重直行線に限定されるものではなく、標識板が検水面に対して水平に設置されていることを確認できるものであればよい。また、標識板の形状は円形に限定されるものではない。ただし、高さ３２０ｍｍ、直径３３〜３５ｍｍの円筒型透明ガラス製容器を用い、計測目盛板の表面が白色で、かつ、その表面に１．０ｍｍ間隔に２本の０．５ｍｍ幅の黒線を十文字に印したものを用いることにより、ＪＩＳ  Ｋ０１０２に準拠した透視度計として使うことができる。
【符号の説明】
【００３４】    １  長円筒容器
２  透視度計測治具
３  底部
４  計測目盛尺
５  標識板
６  計測目盛
７  標識模様
８  係止部材（磁石）
９  係止部材（係止金具）
１０  係止部材（係止鋲）
１１  係止部材（固定バネ）
１２  下口付シリンダー
１３  検水注ぎ口
１４  計測目盛
１５  水出し口
１６  ゴム管
１７  ピンチコック
１８  標識板
【図１】
0006687929.tif 000002
【図２】
0006687929.tif 000003
【図３】
0006687929.tif 000004
【図４】
0006687929.tif 000005
【図５】
0006687929.tif 000006
【図６】
0006687929.tif 000007
【図７】
0006687929.tif 000008
【図８】
0006687929.tif 000009
【図９】
0006687929.tif 000010
【図１０】
0006687929.tif 000011